(57)【要約】【課題】踏んだ場合に比較的大きな音を発し、防犯性に優れた人工芝を提供する。【解決手段】基布にパイルを植設した人工芝と、該パイル間に充填された硬質充填材とを備え、特定の手法により測定した非踏圧時音量が６０ｄＢ以下の場合に、特定の手法により測定した踏圧時音量と非踏圧時音量との差が８ｄＢ以上であることを特徴とする、充填材入り人工芝。【選択図】図１
2008095416.tif 000002
【特許請求の範囲】
【請求項１】
基布にパイルを植設した人工芝と、該パイル間に充填された充填材とを備え、
下記手法により測定した非踏圧時音量が６０ｄＢ以下の場合に、下記手法により測定した踏圧時音量と非踏圧時音量との差が８ｄＢ以上であることを特徴とする、充填材入り人工芝。
・非踏圧時音量の測定手法：
充填材が実質乾燥した状態で、充填材入り人工芝の上に設置高さ０ｃｍで音量計を設置し、１分間測定を行なって得られた音量の最小値を非踏圧時音量とする。
・踏圧時音量の測定手法：
充填材が実質乾燥した状態で、充填材入り人工芝の上に設置高さ０ｃｍで音量計を設置し、以下の歩行条件の下で１分間測定を行なって得られた音量の最大値を踏圧時音量とする。
・歩行条件：
サイズ２５ｃｍ以上のゴム底のスニーカーを履いた体重５２キロ以上の人間が、大腿部と充填材入り人工芝との角度が４５度となるような足高さで、充填材入り人工芝上の音量計を中心とした一辺１ｍの正方形の領域内を、歩行時間１００歩／分にて歩行する。
【請求項２】
基布にパイルを植設した人工芝と、該パイル間に充填された充填材とを備え、
該充填材の少なくとも最上層が、目開き２ｍｍのふるいを通過しない大きさの硬質充填材であるとともに、
該パイルのゲージ及び／又はステッチに対する該硬質充填材のみなし粒径の比率が、０．１以上、２５以下であり、
該硬質充填材のみなし粒径に対する該硬質充填材の充填厚の比率が、０．２以上、１８以下であり、且つ、
該硬質充填材の表面から突出する該パイルの長さが、５ｍｍ以上、９０ｍｍ以下であることを特徴とする、充填材入り人工芝。
【請求項３】
該充填材の少なくとも最上層が、目開き２ｍｍのふるいを通過しない大きさの硬質充填材であるとともに、
該パイルのゲージ及び／又はステッチに対する該硬質充填材のみなし粒径の比率が、０．１以上、２５以下であり、
該硬質充填材のみなし粒径に対する該硬質充填材の充填厚の比率が、０．２以上、１８以下であり、且つ、
該硬質充填材の表面から突出する該パイルの長さが、５ｍｍ以上、９０ｍｍ以下であることを特徴とする、請求項１記載の充填材入り人工芝。
【請求項４】
該パイルのゲージ及び／又はステッチが５ｍｍ以上、４０ｍｍ以下であることを特徴とする、請求項１〜３の何れか一項に記載の充填材入り人工芝。
【請求項５】
該パイルの長さが３０ｍｍ以上、８０ｍｍ以下であることを特徴とする、請求項１〜４の何れか一項に記載の充填材入り人工芝。
【請求項６】
該最上層の硬質充填材のうち、目開きが３５ｍｍのふるいを通過し、且つ、１０ｍｍのふるいを通過しない大きさの粒子の割合が、５０重量％以上であることを特徴とする、請求項１〜５の何れか一項に記載の充填材入り人工芝。
【請求項７】
該パイル間に少なくとも２種類の充填材が層状に充填されており、最下層には最上層とは異なる硬質充填材が存在することを特徴とする、請求項１〜６の何れか一項に記載の充填材入り人工芝。
【請求項８】
該最上層の硬質充填材が多孔質材料からなることを特徴とする、請求項１〜７の何れか一項に記載の充填材入り人工芝。
【発明の詳細な説明】
【技術分野】
【０００１】
本発明は、基布に植設されたパイル間に充填材を充填してなる人工芝に関する。
【背景技術】
【０００２】
住宅等の建物の敷地における勝手口や浴室付近の領域、学校や公共施設等の敷地における更衣室やトイレ付近の領域は、人目に付き難いため、敷地内に侵入者があっても気付き難い。
こうした課題を解消するために、侵入者を知らせる防犯アラームの設置や、セキュリティ会社との契約等の手段も考えられるが、高額であり、自然の景観も損なわれる。
【０００３】
また、上記領域の多くは北側に面しているため、日光が当たり難く、植物が育ち難い。
その為、例えば景観の向上を目的として天然芝を張っても、生育が悪い上に、メインテナンス等の手間や費用もかかる。
【０００４】
そこで、天然芝の代わりに、上記領域に人工芝を設置することが考えられる。人工芝を使用すれば、日当たりが悪くても優れた景観を保つことができ、また、メインテナンス等の手間や費用も少なくて済む。
【０００５】
近年では、新しいタイプの人工芝として、ロングパイル（長さが例えば３０ｍｍ以上のパイル）を基布に植設して、そのパイル間に充填材を充填し、安定性や弾力性を向上させた人工芝が知られている（例えば特許文献１及び２参照）。
【０００６】
【特許文献１】特開２００１−２５４３１０号公報
【特許文献２】特開２００３−０９６７１２号公報
【発明の開示】
【発明が解決しようとする課題】
【０００７】
しかしながら、従来の充填材入り人工芝は、充填材として弾性充填材を用いているため、その上を人間が踏んだ場合等に発生する音が小さいという特性（以下「消音性」という。）を有する。
【０００８】
よって、従来の充填材入り人工芝を上記領域に設置した場合、敷地内に侵入者が踏み込んでも発生する音が小さいため、却って侵入者に気付き難くなってしまい、防犯性に劣るという課題があった。
【０００９】
本発明は、上述の課題に鑑みてなされたものである。
即ち、本発明の目的は、防犯性に優れ、景観に優れた人工芝を提供することである。
【課題を解決するための手段】
【００１０】
本発明者等は、上記課題に鑑み検討した結果、少なくとも最上層の充填材として硬質充填材を使用するとともに、その硬質充填材のみなし粒径や充填厚、人工芝のパイルの長さやゲージ、ステッチ等の関係を適切に設定することにより、優れた景観を有するとともに、その上を踏んだ場合に比較的大きな音を発し、防犯性に優れた人工芝が得られることを見出して、本発明を完成させた。
【００１１】
即ち、本発明の要旨は、基布にパイルを植設した人工芝と、該パイル間に充填された充填材とを備え、下記手法により測定した非踏圧時音量が６０ｄＢ以下の場合に、下記手法により測定した踏圧時音量と非踏圧時音量との差が８ｄＢ以上であることを特徴とする、充填材入り人工芝に存する（請求項１）。
・非踏圧時音量の測定手法：
充填材が実質乾燥した状態で、充填材入り人工芝の上に設置高さ０ｃｍで音量計を設置し、１分間測定を行なって得られた音量の最小値を非踏圧時音量とする。
・踏圧時音量の測定手法：
充填材が実質乾燥した状態で、充填材入り人工芝の上に設置高さ０ｃｍで音量計を設置し、以下の歩行条件の下で１分間測定を行なって得られた音量の最大値を踏圧時音量とする。
・歩行条件：
サイズ２５ｃｍ以上のゴム底のスニーカーを履いた体重５２キロ以上の人間が、大腿部と充填材入り人工芝との角度が４５度となるような足高さで、充填材入り人工芝上の音量計を中心とした一辺１ｍの正方形の領域内を、歩行時間１００歩／分にて歩行する。
【００１２】
また、本発明の別の要旨は、基布にパイルを植設した人工芝と、該パイル間に充填された充填材とを備え、該充填材の少なくとも最上層が、目開き２ｍｍのふるいを通過しない大きさの硬質充填材であるとともに、該パイルのゲージ及び／又はステッチに対する該硬質充填材のみなし粒径の比率が、０．１以上、２５以下であり、該硬質充填材のみなし粒径に対する該硬質充填材の充填厚の比率が、０．２以上、１８以下であり、且つ、該硬質充填材の表面から突出する該パイルの長さが、５ｍｍ以上、９０ｍｍ以下であることを特徴とする、充填材入り人工芝に存する（請求項２）。
【００１３】
ここで、該充填材の少なくとも最上層が、目開き２ｍｍのふるいを通過しない大きさの硬質充填材であるとともに、該パイルのゲージ及び／又はステッチに対する該硬質充填材のみなし粒径の比率が、０．１以上、２５以下であり、該硬質充填材のみなし粒径に対する該硬質充填材の充填厚の比率が、０．２以上、１８以下であり、且つ、該硬質充填材の表面から突出する該パイルの長さが、５ｍｍ以上、９０ｍｍ以下であることが好ましい（請求項３）。
【００１４】
また、該パイルのゲージ及び／又はステッチが５ｍｍ以上、４０ｍｍ以下であることが好ましい（請求項４）。
【００１５】
また、該パイルの長さが３０ｍｍ以上、８０ｍｍ以下であることが好ましい（請求項５）。
【００１６】
また、該最上層の硬質充填材のうち、目開きが３５ｍｍのふるいを通過し、且つ、１０ｍｍのふるいを通過しない大きさの粒子の割合が、５０重量％以上であることが好ましい（請求項６）。
【００１７】
また、該パイル間に少なくとも２種類の充填材が層状に充填されており、最下層には最上層とは異なる硬質充填材が存在することが好ましい（請求項７）。
【００１８】
また、該最上層の硬質充填材が多孔質材料からなることが好ましい（請求項８）。
【発明の効果】
【００１９】
本発明の充填材入り人工芝は、その上を踏んだ場合に比較的大きな音を発するため、防犯性に優れるという効果がある。
【発明を実施するための最良の形態】
【００２０】
以下、本発明について、実施の形態を挙げて詳細に説明するが、本発明は以下の実施の形態に限定されるものではなく、その要旨の範囲内において種々に変更して実施することができる。
【００２１】
［Ｉ．構成］
図１は、本発明の一実施形態に係る充填材入り人工芝の部分構造を模式的に示す断面図である。
図１に示す充填材入り人工芝１は、基布２に所定間隔でパイル３が植設された人工芝４と、人工芝４のパイル３間に充填された硬質充填材５とから構成される。
【００２２】
以下の説明では、まず、充填材入り人工芝１の構成要素である人工芝４及び硬質充填材５について個別に説明した上で、それらを組み合わせてなる充填材入り人工芝１の構成について説明するものとする。
【００２３】
〔Ｉ−１．人工芝〕
図２は、図１の充填材入り人工芝１に用いられる人工芝４の部分構成を模式的に示す上方斜視図である。なお、図２において、図１と共通の構成要素については、共通の符号を用いて表わしている。
【００２４】
図２に示すように、人工芝４は、基布２に多数のパイル３が所定間隔をもって列状に植設（タフティング）された、いわゆるタフト（織物）構造を有する。
【００２５】
基布２の素材としては、限定されるものではないが、例えば、ポリプロピレン（ＰＰ）、ポリエチレン（ＰＥ）、ナイロン（ＮＹ）、ポリエチレンテレフタレート（ＰＥＴ）等の合成樹脂からなる織布又は不織布等が用いられる。これらは何れか一種を単独で用いてもよく、二種以上を任意の組み合わせ及び比率で併用してもよい。
【００２６】
基布２の厚みは限定されず、人工芝４の機能を妨げない範囲で任意に選択することが可能であるが、通常１ｍｍ以上、３ｍｍ以下の範囲が好ましい。
基布２の平面形状やその大きさも任意であり、人工芝４及びそれを用いた充填材入り人工芝１の形状や用途等に応じて、適宜選択すればよい。
【００２７】
パイル３は、繊維状材料（これを「パイル材」という場合がある。）を用い、その両端部分を、基布２の一方の面（これを基布２の裏面とする。）から他方の面（これを基布２の表面とする。）に突出させて植設することにより設けられる。
【００２８】
パイル材の材質としては、限定されるものではないが、例えば、ポリプロピレン（ＰＰ）、ポリエチレン（ＰＥ）、ナイロン（ＮＹ）等の合成樹脂製のモノフィラメントヤーンやモノテープヤーン、スプリットヤーン（繊度５５００〜１３０００ｄｔｅｘ）が用いられる。これらは何れか一種を単独で用いてもよく、二種以上を任意の組み合わせ及び比率で併用してもよい。
【００２９】
パイル材の形状としては、モノフィラメントヤーン、モノテープヤーン、スプリットヤーン等、任意のものを使用できる。
特に、パイル材としては、モノフィラメントヤーンまたはモノテープヤーンを用いることが、施工上の理由から好ましい。これらのヤーンを用いる場合は、繊度４００〜２０００ｄｔｅｘの単糸を撚り合わせ、合計の繊度を５５００〜１３０００ｄｔｅｘとして、基布２に植設することが好ましい。これにより得られるパイル３は、単糸それぞれがバラバラに拡がり、高いカバーリング性（粒状物捕捉性）が得られる。
【００３０】
基布２表面からパイル３先端までの長さ（図２の符号Ｈで示す長さ。本発明ではこれを「パイルの長さ」或いは「パイル長」という場合がある。）は、通常２０ｍｍ以上、中でも３０ｍｍ以上、また、通常１００ｍｍ以下、中でも８０ｍｍ以下の範囲が好ましい。パイル３の長さが短過ぎると、景観に劣る場合がある。また、パイル３の長さが長過ぎても、効果に比して材料が多く必要となる場合がある。
【００３１】
なお、パイル３の長さが一様ではない場合には、パイル３の長さの平均値が上記範囲を満たすようにすればよいが、パイル３の総数のうち通常５０％以上が上記範囲を満たすことが好ましい。
【００３２】
パイル３のタフティング列間の植設間隔（図２の符号Ｇで示す間隔。本発明ではこれを「ゲージ」という場合がある。）は、通常２ｍｍ以上、中でも５ｍｍ以上、また、通常５０ｍｍ以下、中でも４０ｍｍ以下の範囲であることが好ましい。パイル３のゲージが短過ぎると、充填材が入らない場合がある。一方、パイル３のゲージが長過ぎると、景観を損なう場合がある。
【００３３】
また、パイル３のタフティング列方向の植設間隔（図２の符号Ｓで示す間隔。本発明ではこれを「ステッチ」という場合がある。）は、通常２ｍｍ以上、中でも５ｍｍ以上、また、通常５０ｍｍ以下、中でも４０ｍｍ以下の範囲であることが好ましい。パイル３のステッチが短過ぎると、充填材効率が悪くなる場合がある。一方、パイル３のステッチが長過ぎると、景観を損なう場合がある。
【００３４】
なお、パイル３のゲージ及び／又はステッチが一様ではない場合には、パイル３のゲージ及び／又はステッチの平均値が上記範囲を満たすようにすればよいが、パイル３のゲージ及び／又はステッチの総数のうち通常５０％以上が上記範囲を満たすことが好ましい。
【００３５】
また、基布２の裏面側には、タフティングされたパイル３の抜け落ちを防止するため、基布２の裏面側に露出するパイル材の中央部分を覆うように、バッキング材６が形成されている。
バッキング材６の材料は、制限されるものではないが、例えば、スチレン−ブタジエンゴム（ＳＢＲ）、ラテックスゴム、ウレタン等が挙げられる。これらは何れか一種を単独で用いてもよく、二種以上を任意の組み合わせ及び比率で併用してもよい。
バッキング材６の形成方法も、制限されるものではないが、通常は基布２にパイル３をタフティングした後、上述の材料を用いて塗布法により形成される。
バッキング材６の塗布量も、制限されるものではないが、乾燥状態の重量で、通常８００ｇ／ｍ2以上、１５００ｇ／ｍ2以下の範囲が好ましい
【００３６】
〔Ｉ−２．硬質充填材〕
本発明において「硬質充填材」としては、砂、珪砂、砕石、セラミックス類等が挙げられる。
特に、硬質充填材としては、多孔質材料であるのが好ましく、例えば高温焼成させた自然石や、高温焼成させた廃ガラス等の珪酸質の塊等が挙げられる。これらは何れか一種を単独で用いてもよく、二種以上を任意の組み合わせ及び比率で併用してもよい。
【００３７】
硬質充填材５の形状は、通常は粒子状である。ここで「粒子状」とは、球状や略球状に制限されるものではなく、充填率や充填時の作業性を著しく妨げない限りにおいて、凹凸状、棒状、平板状等、様々な形状を含むものとする。但し、棒状、平板状のものはできるだけ用いないことが望ましい。
【００３８】
硬質充填材５のみなし粒径は、通常２ｍｍ以上、中でも５ｍｍ以上、特に１０ｍｍ以上、また、通常５０ｍｍ以下、中でも３０ｍｍ以下の範囲が好ましい。硬質充填材の粒径が小さ過ぎると、音が小さくなる場合がある。一方、硬質充填材の粒径が大き過ぎると、充填しづらくなる場合がある。
【００３９】
硬質充填材５は、みなし粒径がある程度揃っていた方が、景観や音の出方のばらつきが抑えられるという点から望ましく、同一のみなし粒径の粒子が同一層中に５０％以上存在していることが好ましい。
【００４０】
尚、本発明において「みなし粒径」とは、ある目開き（αｍｍ）のふるいは実質全て通過し、その目開きよりも５ｍｍ小さい目開き（（α−５）ｍｍ）のふるいに９０％以上の充填材が残る場合における、後者の目開き（（α−５）ｍｍ）を言う。
みなし粒径の測定は、ふるいを手動又は機械により、上下動及び水平動を与えて揺り動かし、充填材が絶えずふるい面を均等に運動するようにし、１分間に通過又は残ったものを抽出することにより行なう。
【００４１】
なお、硬質充填材５としては、何れか一種の硬質充填材５を単独で使用してもよく、二種以上の硬質充填材５を任意の組み合わせ及び比率で併用してもよい。
二種以上の硬質充填材５を併用する場合、予め混合してから単一層として充填してもよいが、それぞれ個別に重層して充填することにより、多層構造とすることも可能である。
【００４２】
多層構造とする場合、少なくとも最上層の充填材として、上記規定を満たす硬質充填材を使用すればよい。充填材を多層構造とする場合については後に詳述するが、その場合には、最下層には最上層とは異なる硬質充填材を用いるのが好ましい。最下層の充填材としては、特に砂、珪砂などの粒径の小さい硬質充填材が好ましい。このように、最下層に最上層とは異なる充填材を用いることにより、施工性が向上し、景観も優れたものとすることができる。
尚、最上層には、上記規定を満たす硬質充填材に加え、本発明の効果を損なわない範囲において、砂や珪砂等の粒径の小さい充填材や、防虫機能、小動物（猫等）忌避、色調改良等を目的とした粒子等を存在させてもよい。
【００４３】
〔Ｉ−３．充填材入り人工芝〕
図１の充填材入り人工芝１は、上述の人工芝４のパイル３間に、同じく上述の硬質充填材５を充填してなるとともに、下記の特徴を満たすものである。
【００４４】
即ち、パイル３のゲージ及び／又はステッチに対する硬質充填材５のみなし粒径の比率は、通常０．１以上、好ましくは０．２５以上、また、通常２５以下、好ましくは６以下の範囲である。この比率が小さ過ぎると、音が小さくなる場合がある。一方、この比率が大き過ぎると、充填しづらくなる場合がある。
なお、パイル３のゲージ及びステッチのうち何れが上記範囲を満たしていてもよいが、少なくともパイル３のゲージが上記範囲を満たしていることが好ましく、パイル３のゲージ及びステッチの双方が上記範囲を満たしていることがより好ましい。
【００４５】
また、硬質充填材５のみなし粒径に対する硬質充填材５の充填厚（図１の符号Ｔで示す長さ。）の比率は、通常０．２以上、好ましくは０．６以上、また、通常１８以下、好ましくは７以下の範囲である。この比率が小さ過ぎると、音が小さくなる場合がある。一方、この比率が大き過ぎると、充填しづらくなる場合がある。
【００４６】
また、硬質充填材５の表面から突出するパイル３の長さは、通常５ｍｍ以上、好ましくは１０ｍｍ以上、また、通常９０ｍｍ以下、好ましくは６０ｍｍ以下の範囲である。この長さが小さ過ぎると、外観を損なう場合がある。一方、この長さが大き過ぎると、音が小さくなる場合がある。
【００４７】
〔Ｉ−４．複数層の充填材を設ける構成〕
図１の充填材入り人工芝１は、基布２上に硬質充填材５からなる単一の層を有していたが、充填材からなる層を複数設けることも可能である。
【００４８】
図３は、本発明の別の実施形態に係る充填材入り人工芝の部分構造を模式的に示す断面図である。なお、図３において、図１及び図２と共通の構成要素については、共通の符号を用いて表わしている。
図３に示す充填材入り人工芝１’は、基布２に所定間隔でパイル３が植設された人工芝４と、人工芝４のパイル３間に複数層（図では３層）となるように充填された複数種（図では３種）の充填材５，５’，５”とから構成される。
【００４９】
人工芝４（基布２及びパイル３）の材料や形状等の特性については、図１に示す人工芝４（基布２及びパイル３）と共通であるので、説明は省略する。
【００５０】
また、充填材５，５’，５”のうち、最上層の充填材５の材料や形状等の特性については、図１に示す硬質充填材５と共通であるので、これも説明は省略する。
【００５１】
一方、最上層以外の充填材（中間層及び最下層の充填材）５’，５”の材料としては、充填材（硬質充填材）５の規定を満たすものに制限されず、任意のものが使用できる。
但し、最上層以外の充填材（中間層及び最下層の充填材）５’，５”としては、最上層の充填材（硬質充填材）５が有する、踏んだ時に比較的大きな音を発する効果を、妨げるものでないことが好ましい。よって、最上層以外の充填材（中間層及び最下層の充填材）５’，５”としても、硬質充填材を用いることが好ましい。
最上層以外の充填材（中間層及び最下層の充填材）５’，５”のその他の特性（形状、充填厚等）については、任意に選択することが可能である。
【００５２】
更に、図３の充填材入り人工芝１’は、パイル３のゲージ及び／又はステッチに対する硬質充填材５のみなし粒径の比率、硬質充填材５のみなし粒径に対する硬質充填材５の充填厚の比率、及び、硬質充填材５の表面から突出するパイル３の長さが、何れも上述の〔Ｉ−３．充填材入り人工芝〕の欄で説明した規定を満たすように構成される。
【００５３】
なお、図３の充填材入り人工芝１’では、３種類の充填材５，５’，５”が各々一層ずつ、３層となるように充填されていたが、充填材の層数はこれに制限されるものではなく、２層でもよく、４層以上でもよい。何れの場合でも、最上層の充填材が、図１に示す硬質充填材５と同様の規定を満たしていればよい。また、各層が二種以上の充填材を含有していてもよい。
【００５４】
［II．特性］
以上説明した各実施形態の充填材入り人工芝１，１’に代表される、本発明の充填材入り人工芝は、以下の特性を備える。
【００５５】
〔II−１．踏圧時音量〕
本発明の充填材入り人工芝は、その上を踏んだ場合に比較的大きな音を発するという特性を有する。
【００５６】
具体的には、下記手法により測定した非踏圧時音量が６０ｄＢ以下の場合に、下記手法により測定した踏圧時音量と非踏圧時音量との差が８ｄＢ以上である。好ましくは、この差は１０ｄＢ以上、特に好ましくは３０ｄＢ以上である。
・非踏圧時音量の測定手法：
充填材が実質乾燥した状態で、充填材入り人工芝の上に音量計を設置高さ０ｃｍで（即ち、直に）設置し、１分間測定を行なって得られた音量の最小値を非踏圧時音量とする。
・踏圧時音量の測定手法：
充填材が実質乾燥した状態で、充填材入り人工芝の上に音量計を設置高さ０ｃｍで（即ち、直に）設置し、以下の歩行条件の下で１分間測定を行なって得られた音量の最大値を踏圧時音量とする。
・歩行条件：
サイズ２５ｃｍ以上のゴム底のスニーカーを履いた体重５２キロ以上の人間が、大腿部と充填材入り人工芝との角度が約４５度（±５度を誤差範囲とする。）となるような足高さで、充填材入り人工芝上の騒音計を中心とした一辺１ｍの正方形の領域内を、歩行速度約１００歩／分（±１０歩／分を誤差範囲とする。）にて歩行する。
なお、音量計としては、例えば騒音計を用いることができる。騒音計の例としては、扶桑理化製品株式会社製騒音計ＳＤ−２２００が挙げられる。
【００５７】
このように、本発明の充填材入り人工芝は、踏圧時音量が比較的大きいという特性を有することから、防犯性に優れるという効果がある。
一方、踏圧時音量と非踏圧時音量の差の上限は特に制限されないが、騒音性等を考慮すると、通常６０ｄＢ以下、好ましくは５０ｄＢ以下である。
【００５８】
なお、本発明の充填材入り人工芝を踏んだ場合に生じる音は、硬質充填材の種類等によっても異なるが、例えば、人間の耳に「じゃりじゃり」と聞こえる音である。こうした音によって、侵入者の抑止という効果がある。
【００５９】
また、本発明の充填材入り人工芝は、硬質充填材を単独で敷き詰めた場合と比較して、踏圧時音量が低下し難いという特性も有する。
この理由については明らかではないが、硬質充填材間に人工芝のパイルが適度に存在していることにより、硬質充填材が締め固まることが防止され、踏圧時音量が低下し難いものと推測される。
【００６０】
〔II−２．昇温抑制〕
また、本発明の充填材入り人工芝は、散水した場合に水を保持し、周辺環境の昇温を抑制するという特性を有する。
【００６１】
［III．その他］
以上、本発明の充填材入り人工芝について説明したが、本発明の充填材入り人工芝は、その構成と特性の両面から規定することが可能である。
即ち、基布にパイルを植設した人工芝と、該パイル間に充填された硬質充填材とを備えるという基本構成を有するとともに、パイルのゲージ及び／又はステッチに対する硬質充填材のみなし粒径の比率、硬質充填材のみなし粒径に対する硬質充填材の充填厚の比率、及び、硬質充填材の表面から突出するパイルの長さが、何れも上述の〔Ｉ−３．充填材入り人工芝〕の欄で説明した規定を満たすか、或いは、その踏圧時音量が、上述の〔II−１．踏圧時音量〕の欄で説明した規定を満たしていれば、本発明の充填材入り人工芝に該当するものとする。
【００６２】
本発明の充填材入り人工芝は、上述のように、踏圧時音量が比較的大きいという特性を有する。また、好ましくは、周辺環境の昇温を抑制する特性も有する。従って、従来の人工芝が用いられる各種の用途に利用可能であるが、中でも、住宅等の建物の敷地における勝手口や浴室付近の領域、学校や公共施設等の敷地における更衣室やトイレ付近の領域等への設置に好適である。
【実施例】
【００６３】
以下、本発明について実施例を用いて更に詳細に説明するが、本発明はその要旨を超えない限り、以下の実施例に限定されるものではない。
【００６４】
［Ｉ．充填材入り人工芝の作製（実施例１〜５、比較例）］
以下の手順により、充填材入り人工芝を作製した。
【００６５】
何れの実施例及び比較例においても、ポリプロピレン製基布（厚み：約１ｍｍ）に、長さ５５ｍｍのポリエチレン製のモノテープヤーンを、ステッチが１８個/１０ｃｍ、ゲージが１９．０５ｍｍ（３／４ゲージ）で、植設した人工芝を用いた。
【００６６】
上記人工芝に対し、下記表１に示す充填材を、同じく下記表１に示す充填となるように充填した。
なお、以下の表中「充填厚」とは、充填後における基布の表面から充填材の上面までの厚み（図１の符号Ｔで示す値。）を表わす。
また、「上部パイル長」とは、充填後において充填材の上面から突出するパイルの長さ（図１の符号Ｌで示す値。）を表わす。
【００６７】
【表１】
2008095416.tif 000003
【００６８】
充填材の充填は、以下の（ｉ）〜（iii）の手順で行なった。
（ｉ）各充填材を手作業にて人工芝のパイル間に充填した。
（ii）熊手を使用し、充填材の上面から突出するパイル長さが約２０ｍｍになるように均し作業を行なった。
（iii）充填材の粒径の大きいもの（実施例１及び実施例３）については、更に手作業にて均し作業を行なった。
【００６９】
以上の手順により作製された充填材入り人工芝を、それぞれ実施例１〜５及び比較例の充填材入り人工芝という。
【００７０】
［II．踏圧時音量測定］
実施例１〜５及び比較例の充填材入り人工芝を用いて、以下の手順により非踏圧時音量及び踏圧時音量の測定を行なった。
【００７１】
・非踏圧時音量の測定：
屋外に接置された人工芝内に１ｍ×１ｍの測定領域を定め、その中央部に音量計（扶桑理化製品株式会社製騒音計ＳＤ−２２００）を設置し、一分間測定を行なった。この測定により得られた音量の最小値を非踏圧時音量とした。
・踏圧時音量の測定：
屋外に接置された人工芝内に１ｍ×１ｍの測定領域を定め、その中央部に音量計（扶桑理化製品株式会社製騒音計ＳＤ−２２００）を設置した。次いで、実験者（体重５２ｋｇ）が音量測定機の周囲を、上述の「歩行条件」を満たすように一分間歩行し、その間の音量を測定した。この歩行及び音量測定を一サンプルにつき５回行なった。この測定により得られた音量の最大値を踏圧時音量として求めた。結果を下記表２に示す。
【００７２】
【表２】
2008095416.tif 000004
【００７３】
上記表２より、実施例１〜５の充填材入り人工芝は、比較例の充填材入り人工芝と比較して、踏圧時音量が大きいことが分かる。
【００７４】
また、実施例１，２，４，５の充填材入り人工芝に使用した充填材（これらを以下、参考例１，２，４，５の充填材という。）を単独で用いた場合における踏圧時音量を、以下の手順で測定した。
屋外の地面上に０．５ｍ×０．５ｍの測定領域を定め、３．５ｃｍの厚さで充填材を敷き詰めた。後は上述の充填材入り人工芝の場合と同様の手法で、非踏圧時音量及び踏圧時音量を測定した。結果を下記表３に示す。
【００７５】
【表３】
2008095416.tif 000005
【００７６】
上記の表２と表３との比較より、実施例１，２，４，５の充填材入り人工芝に使用した充填材（参考例１，２，４，５の充填材）は、充填材単独で使用すると、人工芝に充填材した場合と比較して、踏圧時音量が小さいことが分かる。
【００７７】
［III．昇温抑制測定］
実施例１〜５及び比較例の充填材入り人工芝について、以下の手順により昇温抑制効果の評価を行なった。
【００７８】
屋外に設置された人工芝内に１ｍ×１ｍの測定領域を定め、その表面の中央に温度計を設置した。この測定領域内に１リットルの散水を行ない、散水前後の温度変化を１５分毎に測定した。その結果を下記表４に示す。
なお、表４中、「時間」の欄の数字は、散水直後を「０」とした場合の経過時間（分）を表わす。最上段の「−」は、散水前を表わす。
また、測定は９月の晴天の日に行なった。人工芝の設置は前日１５時００分頃、散水は当日１１時３０分頃に行なった。
【００７９】
【表４】
2008095416.tif 000006
【００８０】
上記表４から明らかなように、実施例１〜５及び比較例の何れも、測定された温度は散水直後に降下し、その後に徐々に上昇している。
しかしながら、実施例１〜５の充填材入り人工芝は、比較例の充填材入り人工芝と比較すると、散水前後において低温であり、また、散水後における温度上昇も、概して抑えられていることが分かる。
【産業上の利用可能性】
【００８１】
本発明の充填材入り人工芝は、従来の人工芝が用いられる各種の用途に利用可能であるが、中でも、住宅等の建物の敷地における勝手口や浴室付近の領域、学校や公共施設等の敷地における更衣室やトイレ付近の領域等への設置に好適である。
【図面の簡単な説明】
【００８２】
【図１】本発明の一実施形態に係る充填材入り人工芝の部分構造を模式的に示す断面図である。
【図２】図１の充填材入り人工芝に用いられる人工芝の部分構成を模式的に示す上方斜視図である。
【図３】本発明の他の実施形態に係る充填材入り人工芝の部分構造を模式的に示す断面図である。
【符号の説明】
【００８３】
１，１’  人工芝
２  基布
３  パイル
４  人工芝
５，５’，５”  充填材
５  硬質充填材
６  バッキング材
【図１】
2008095416.tif 000007
【図２】
2008095416.tif 000008
【図３】
2008095416.tif 000009